(57)【要約】【課題】挟持体が任意に開閉できてロッドの取り付けが容易であり、１本の止めネジを構造体に締め付けるだけで支持体が固定でき、同時に挟持体が自動的にロッドと緊密に結合するロッド固定具を提供すること。【解決手段】相対する弧状の半体で挟持体が構成され、半体の双方又は一方が支持板上のヒンジ部を支点に傾動して挟持体が開閉され、支持板に穿った挿孔を通って構造体の取付面に螺入した止めネジを締め付けると、双方の半体が自動的に近接して挟持体がロッド外面を周回挟持し、前記挿孔とは離れた位置にある支持板の下面隅部に形成した突縁が構造体の取付面に線接触状に圧接される。【選択図】図１
2016084928.tif 000002
【特許請求の範囲】
【請求項１】
相対する弧状の半体で挟持体が構成され、半体の双方が支持板上に設けた軸心を有するヒンジ部を支点として傾動することにより挟持体が開閉され、支持板に穿った挿孔を通って構造体の取付面に螺入した止めネジを締め付けると、双方の半体が自動的に近接して挟持体がロッド外面を周回挟持するとともに前記挿孔とは離れた位置にある支持板の下面隅部に形成した突縁が構造体の取付面に線接触状に圧接されることを特徴とするロッド固定具。
【請求項２】
相対する弧状の半体で挟持体が構成され、半体の一方が支持板上に設けた軸心を有するヒンジ部を支点として傾動することにより挟持体が開閉され、支持板に穿った挿孔を通って構造体の取付面に螺入した止めネジを締め付けると、前記半体下部に突出形成した爪片が取付面に圧接されて支持板の窓孔内に没入し、それにより該半体が他方の半体に自動的に近接して挟持体がロッド外面を周回挟持するとともに前記挿孔とは離れた位置にある支持板の下面隅部に形成した突縁が構造体の取付面に線接触状に圧接されることを特徴とするロッド固定具。
【請求項３】
ヒンジ部の軸心にバネ部材を装付して、半体の双方若しくは一方を開方向に弾性付勢することを特徴とする請求項１又は２記載のロッド固定具。
【発明の詳細な説明】
【技術分野】
【０００１】  本発明はケーブル等の棒状部材を構造体に取り付けるためのロッド固定具に関する。
【背景技術】
【０００２】  各種ケーブル・ロープ・コード類（以下「ロッド」という）を車・家屋・通信機器等（以下「構造体」という）に取り付ける固定具は、ロッドを挟持又は嵌合するためのトンネル状の保持部と平坦部を備えたものが一般的で、ロッドの取り付け後に、平坦部の挿孔より構造体のパネルなどにネジ固定するものが広く知られている。上記保持部はあらかじめ所定径としたものゝほか、一部を開口して欠円形としたものなど種々あり、また平坦部も保持部の下端を左右に延長し凸型として両側２か所でネジ止めしたり、平坦部に連なる保持部の端部を平坦部側に屈曲して重ね合わせ、その重ね合わせた１個所の挿孔から構造体に向けて止めネジを螺入するといった構成をとるものなどもある。【０００３】  そして上記既存の固定具よりも構造体への取り付けを強固にして、引っ張り力などの外力が加わっても固定具が回転することがないようにした技術（例えば特許文献１）、或いは保持部の一端を平坦部と平行に延設して両者の間に隙間を設け、止めネジで固定するときに隙間の弾性を利用して保持部をロッドに緊密に圧接する技術（例えば特許文献２参照）なども存在している。
【先行技術文献】
【特許文献】
【０００４】
【特許文献１】特開２００９−２８４６６１号公報
【特許文献２】特開２０１０−５１７４９９号公報
【発明の概要】
【発明が解決しようとする課題】
【０００５】  回り止め構造を備えた特許文献１に記載のものは、ケーブルを保持する把持部から延設される両側締結部を重ね合わせて１本のネジ部材で被固定材に固定するように形成され、更に把持部の一部に開口されている装着孔からピン部材を被固定材の係止孔に挿入係止する構成となっているため、ピン部材の存在によって固定具の回転が防止できるという効果は所期されるが、ネジ部材とは別にピン部材を設ける必要があってそのための製作手数と、ピン部材を被固定材に取り付けるための作業を要し、このような不利に加え構造が複雑となるため、その分費用が嵩むという問題がある。【０００６】  ケーブル敷設用クリップに関する特許文献２に記載の技術は、弾性材料のリングがケーブルを挿入するスプリット部を備え、複数の締め付け手段によって構造物に取り付けられるというものである。このクリップは隙間の個所にある止めネジを構造体に向けて螺入するものであるから、止めネジの締め付け具合によってケーブル径に応じた締め付け固定ができるものと理解されるが、この方式によるとケーブルをリング内に挿入した後で止めネジを締め付けるか、止めネジを取り付ける前にスプリット部を開放してその間からケーブルを差し込むといった面倒な手数を要するとともに、隙間を大きく開口するのは難しいため果たして簡単にロッドを取り付けできるか否か疑問の残るところといえる。【０００７】  本発明は前記した従来技術とは異なり中間に軸心を有するヒンジ部を設け、挟持体が任意に開閉できてロッドの取り付けが容易であり、止めネジを構造体に締め付けると挟持体が自動的にロッドと緊密強固に結合する、ロッド固定具を提供することを課題とする。
【課題を解決するための手段】
【０００８】  上記課題を解決する本発明の第一の態様は、相対する弧状の半体で挟持体が構成され、半体の双方が支持板上に設けた軸心を有するヒンジ部を支点として傾動することにより挟持体が開閉され、支持板に穿った挿孔を通って構造体の取付面に螺入した止めネジを締め付けると、双方の半体が自動的に近接して挟持体がロッド外面を周回挟持するとともに前記挿孔とは離れた位置にある支持板の下面隅部に形成した突縁が構造体の取付面に線接触状に圧接されることを特徴としている。【０００９】  本発明の第二の態様は、相対する弧状の半体で挟持体が構成され、半体の一方が支持板上に設けた軸心を有するヒンジ部を支点として傾動することにより挟持体が開閉され、支持板に穿った挿孔を通って構造体の取付面に螺入した止めネジを締め付けると、前記半体下部に突出形成した爪片が取付面に圧接されて支持板の窓孔内に没入し、それにより該半体が他方の半体に自動的に近接して挟持体がロッド外面を周回挟持するとともに前記挿孔とは離れた位置にある支持板の下面隅部に形成した突縁が構造体の取付面に線接触状に圧接されることを特徴としている。【００１０】  前記第一及び第二の態様におけるヒンジ部の軸心にバネ部材を装付して、半体の双方若しくは一方を開方向に弾性付勢することを特徴とする。
【発明の効果】
【００１１】  ヒンジ部を介し弧状の半体が傾動すると、その傾動範囲内において半体相互は大きく離間して挟持体が開口状となるためロッドの嵌合が容易となる。次いで支持板に穿ってある挿孔から止めネジを挿入して構造体の取付面のネジ孔に螺入し締め付けると、ヒンジ部を支点とし両半体は自動的に近接し、閉じられた挟持体によってロッド外周が周回挟持されるためロッドは確実迅速に固定でき、然も一方の半体の隅部に形成した突縁が取付面に線接触状に圧接されるためこの部分と前記止めネジ個所による２点支持によりロッドの固定が一層強固なものとなる。【００１２】  この種固定具においてヒンジ部を設けたものの殆どは折り曲げしやすいように肉厚面の一部を薄肉にして形成し弾性を持たせただけのものにすぎないが、本発明のヒンジ部には軸心を備えているためドア開閉における蝶番と同様の機能が発揮されて大きく開口でき挟持体に隙間を設けただけのものと異なりロッドが無理なく嵌合できる。
【図面の簡単な説明】
【００１３】
【図１】第一の形態における固定具を示す斜視図と部品図である。
【図２】ヒンジ部を支点に支持板が立ち上がった斜視図である。
【図３】ロッドの取り付け過程を示す側面図である。
【図４】ロッドを構造体の取付面に固定した断面図である。
【図５】第二の形態における固定具を示す閉開状態の斜視図と部品図である。
【図６】挟持体が開口した状態及びロッド取り付け状態の断面図である。
【発明を実施するための形態】
【００１４】  図面に基づき本発明の第一の形態につき説明すると、図１に示すとおり固定具を構成するものは第一部品１と第二部品２であり、第一部品１に形成した支持板３と、第二部品に形成した支持板４が、軸心６を有するヒンジ部５を介して連接されている。そして支持板３・４上に、相対する弧状の半体８・９で挟持体７が形成され、半体の端部同士が接離可能に対面している。支持板３には楕円状の挿孔１０を穿ち、この支持板３が後記する構造体の取付面１５に固着され、同時に支持板４も同取付面に密着する。すなわち半体の双方が前記ヒンジ部５を支点として傾動することにより挟持体７が開閉される仕組みとなっている。図中６ａは半体８・９を絶えず開方向に弾性付勢するバネ部材、１１は支持板４の隅部下面に形成した突縁、１２は半体９の内面に形成したすべり止め用ローレットである。
【００１５】  本固定具におけるヒンジ部５は夫々の支持板３・４の端部において一方の受け口５ａに対し他方の突出部５ｂが係合して組み合わさるものであり、係合した中心部に軸心６を挿通するものであって、このヒンジ部５を介して支持板３．４同士が連接するかたちとなる。
【００１６】  連接個所にあるヒンジ部５を介して支持板３と４は、両者が当接するまでの傾動範囲（およそ９０°強）内において下側に向けて回動できるためその分立ち上がり、同時に弧状半体８・９がドアの開閉支点となる蝶番のように大きく開く。つまり両支持体３・４が水平状態より立ち上がることによって図２のとおり半体８・９があたかも猛獣が咆哮するような開き具合となる。
【００１７】  図３は本固定具を用いてロッド１３を構造体の取付面１５に固定する過程を示すもので、ロッド外径に合わせヒンジ部５を支点に半体８・９を開口して挟持体７内にロッド１３を嵌合する。この段階では止めネジ１４は未だ挿孔１０にあてがっているだけであり、支持板３と４は取付面１５に対してやゝ浮き上がった状態となっている。
【００１８】  挟持体７がロッド１３外周を十分に周回挟持したときには、支持板３・４もおのずからヒンジ部５を介して水平移動して構造体の取付面１５に対し両支持板が密着する。そこで図４に示すとおり支持板３にあけた挿孔１０より挿通した止めネジ１４を取付面１５に形成したネジ孔１６に螺入すると支持板３が取付面１５に圧接固定され、他方の支持板４も密接固定されるため双方の支持板３・４がバランスよく取付面１５と結合する。
【００１９】  支持板３と４はヒンジ部５を介し最大で１８０°まで開き、それ以上は相互がストッパーの働きをするためその位置が不動状に保持される。つまり水平状態となった支持板３の挿孔１０から挿入した止めネジ１４を取付面１５に螺入し締め付けることによって他方の支持板４も自動的に取付面１５と密接し且つその状態が揺るぎないものとなり、ロッド１３に外圧が加わってもその取り付け状態に支障を生じることはない。
【００２０】  支持板４の隅部に前記の突縁１１を形成しておくと、突縁１１が取付面１５に対して線接触し、止めネジ１４と合わせ左右の２点支持で構造体へ取り付けることができる。この突縁１１の存在によってヒンジ部５側が確実に持ち上がって支持板４と取付面１５間に少しく隙間１７が生じ、止めネジ１４を取付面１５に締め付けた後もこの隙間１７によりクッション効果が発揮され、ロッド１３に外力が加わってもクッション機能により負荷を吸収するためロッド１３を支持する固定具としての機能が長期にわたり保持される。取付面１５に丸味や多少の傾斜角度があっても突縁１１が直接して言わば微調整の役割を果たすこととなるので頗る都合がよい。
【００２１】  図５は本発明の第二の形態を示したもので、固定具を構成するものは第一部品１と第二部品２であり、第一部品１側の支持板３と第二部品２側の支持板４の中間に、軸心６を有するヒンジ部５が設けられている。支持板３と支持板４はヒンジ部５を介して一体的に形成され、支持板３・４上に、相対する弧状の半体８・９で挟持体７が形成され、半体の端部同士が接離可能に対面しているが、この第二の形態にあっては支持板３上の半体８のみが前記ヒンジ部５を支点として傾動し、支持板４上の半体９は支持板に一体形成されていて傾動することはない。
【００２２】  支持板３には楕円状の挿孔１０を穿ち、この支持板３が後記する構造体の取付面１５に固着されると、一体形成されている支持板４も当然ながら同取付面に密接する。すなわち一方の半体８がヒンジ部５を支点として傾動することにより挟持体７が開閉されるというものである。しかして傾動する半体８の下端には、支持板３・４の中間に形成した窓孔Ｗ内を出没する爪片８ａがあり、半体８・９が近接しているときは該爪片が窓孔Ｗ内に没入し（図５（ａ）参照）、離間しているときは窓孔Ｗから突出している（同図（ｂ）参照）。図中６ａは半体８を絶えず開方向に弾性付勢するバネ部材、１１は支持板４の隅部下面に形成した突縁、１２は半体９の内面に形成したすべり止め用のローレットである。
【００２３】  図６は挟持体７が開口した状態とロッドを固定した状態を示す図であって、止めネジ１４の締め付け前は、ヒンジ部５を支点に半体８を開口して挟持体７内にロッド１３を嵌合する。この段階では止めネジ１４は未だ挿孔１０にあてがっているだけであり、支持板３と４は半体下端の爪片８ａが窓孔Ｗから突出するため持ち上がり、取付面１５に対してやゝ浮き上がった状態となっている。
【００２４】  挟持体７がロッド１３外周を挟持したときは、半体４がヒンジ部５を支点に傾動して半体下端の爪片８ａが窓孔Ｗ内に没入するため障害物がなくなって支持板３・４は取付面に対し水平状態となり、構造体の取付面１５に対し両支持板が密着する。そこで支持板３にあけた挿孔１０より挿通した止めネジ１４を取付面１５に形成したネジ孔１６に螺入すると支持板３が取付面１５に圧接固定され、他方の支持板４も密接固定されるため双方の支持板３・４がバランスよく取付面１５と結合する。なおこの場合も支持板４下面の突縁１１が取付面１５に直接するため支持板３・４と取付面１５の間に隙間１７が生じクッション効果を発揮できることは第一の態様と同様である。
【００２５】  上記したように第一の形態及び第二の形態にあっても、支持板３・４上の半体８・９の双方若しくは一方が、ヒンジ部５を支点に傾動して相互の半体が接離することにより挟持体７を自動的に開閉でき、その作業はロッド１３を挟持体７内に嵌合し１本の止めネジ１４を取付面１５に対し締め付けるという簡単な操作で完了するため頗る作業性がよい。
【００２６】  なお本固定具はロッド１３の径に応じて挟持体７も任意の大きさとすることができることは勿論、材質・厚みなども用途に応じたものとすることができ、バネ部材６ａの有無、その他本発明の目的効果を奏する範囲における変更事項なども本発明の実施の範疇に属するものである。
【符号の説明】
【００２７】  １    第一部品
２    第二部品
３    支持体
４    支持体
５    ヒンジ部
６    軸心
６ａ  バネ部材
７    挟持体
８    半体
８ａ  爪片
９    半体
Ｗ    窓孔
１０  挿孔
１１  突縁
１２  ローレット
１３  ロッド
１４  止めネジ
１５  取付面
１６  ネジ孔
【図１】
2016084928.tif 000003
【図２】
2016084928.tif 000004
【図３】
2016084928.tif 000005
【図４】
2016084928.tif 000006
【図５】
2016084928.tif 000007
【図６】
2016084928.tif 000008